(57)【要約】【課題】  同一使用温度での連続印画、変動使用温度での少数印画のどちらの場合でも濃度変動、色変動が少ない熱転写プリンタを提供する。【解決手段】  インクを塗布したインクリボンに印字ヘッドで熱を加え色素を受像シートに転写させて印字する熱転写プリンタにおいて、前記熱転写プリンタの外部近傍または内部の少なくとも１箇所の温度を測定する温度測定手段と、取得した画像データに基づき前記受像シートに画像を印字する印字手段と、前記温度測定手段による測定結果に基づき前記印字手段の印字条件を補正して印字するように制御する制御手段と、を備えたことを特徴とする熱転写プリンタ。【選択図】        図２
2005119065.tif 000002
【特許請求の範囲】
【請求項１】
インクを塗布したインクリボンに印字ヘッドで熱を加え色素を受像シートに転写させて印字する熱転写プリンタにおいて、
前記熱転写プリンタの外部近傍または内部の少なくとも１箇所の温度を測定する温度測定手段と、
取得した画像データに基づき前記受像シートに画像を印字する印字手段と、
前記温度測定手段による測定結果に基づき前記印字手段の印字条件を補正して印字するように制御する制御手段と、
を備えたことを特徴とする熱転写プリンタ。
【請求項２】
インクを塗布したインクリボンに印字ヘッドで熱を加え色素を受像シートに転写させて印字する熱転写プリンタにおいて、
前記印字ヘッド、前記インクリボンおよび前記受像シートを熱的にシールドする熱シールド手段と、
熱シールドされた内部の少なくとも１箇所の温度を測定する温度測定手段と、
取得した画像データに基づき前記受像シートに画像を印字する印字手段と、
前記温度測定手段による測定結果に基づき前記印字手段の印字条件を補正して印字するよう制御する制御手段と、
を備えたことを特徴とする熱転写プリンタ。
【請求項３】
温度の測定箇所は、少なくとも前記印字ヘッド、前記インクリボン、前記受像シートの１つに接触した位置または近傍の位置であることを特徴とする請求項１または２に記載の熱転写プリンタ。
【請求項４】
少なくとも２箇所の測定温度を予め決められた比率で按分して温度を求めることを特徴とする請求項１から３のいずれか１項に記載の熱転写プリンタ。
【請求項５】
熱転写プリンタ内の温度を測定して印字手段における印字条件の補正係数を求めることを特徴とする請求項１から４のいずれか１項に記載の熱転写プリンタ。
【請求項６】
温度測定の結果に基づく前記印字ヘッドの印字条件の補正は、予め定めた基準温度における印字エネルギー・画像濃度の変換値を補正することにより行うことを特徴とする請求項１から５のいずれか１項に記載の熱転写プリンタ。
【請求項７】
温度測定の結果に基づく前記印字ヘッドの印字条件の補正は、測定温度に基づき予め定めた温度分割領域から該当する領域を抽出し、抽出した領域における予め定めた基準温度における印字エネルギー・画像濃度の変換値を補正係数テーブルにより行うことを特徴とする請求項１から６のいずれか１項に記載の熱転写プリンタ。
【請求項８】
インクを塗布したインクリボンに印字ヘッドで熱を加え色素を受像シートに転写させて印字する熱転写プリンタにおいて、
前記熱転写プリンタの外部近傍または内部の少なくとも１箇所の温度を測定する温度測定手段と、
前記熱転写プリンタの外部近傍または内部の少なくとも１箇所の湿度を測定する湿度測定手段と、
取得した画像データに基づき前記受像シートに画像を印字する印字手段と、
前記温度測定手段と前記温度測定手段による測定結果に基づき前記印字手段の印字条件を補正して印字するように制御する制御手段と、
を備えたことを特徴とする熱転写プリンタ。
【請求項９】
インクを塗布したインクリボンに印字ヘッドで熱を加え色素を受像シートに転写させて印字する熱転写プリンタにおいて、
前記印字ヘッド、前記インクリボンおよび前記受像シートを熱的にシールドする熱シールド手段と、
前記熱シールドされた内部の少なくとも１箇所の温度を測定する温度測定手段と、
前記熱シールドされた内部の少なくとも１箇所の湿度を測定する湿度測定手段と、
取得した画像データに基づき前記受像シートに画像を印字する印字手段と、
前記温度測定手段と前記湿度測定手段による測定結果に基づき前記印字手段の印字条件を補正して印字するよう制御する制御手段と、
を備えたことを特徴とする熱転写プリンタ。
【請求項１０】
温度の測定箇所は、少なくとも前記印字ヘッド、前記インクリボン、前記受像シートの１つに接触した位置または近傍の位置であり、且つ湿度の測定箇所は、少なくとも前記印字ヘッド、前記インクリボン、前記受像シートの１つに接触した位置または近傍の位置であることを特徴とする請求項８または９に記載の熱転写プリンタ。
【請求項１１】
少なくとも２箇所の測定温度を予め決められた比率で按分して温度を求め、且つ少なくとも２箇所の測定湿度を予め決められた比率で按分して湿度を求めることを特徴とする請求項９または１０に記載の熱転写プリンタ。
【請求項１２】
熱転写プリンタ内の温度と湿度を測定して印字手段における印字条件の補正係数を求めることを特徴とする請求項９から１１のいずれか１項に記載の熱転写プリンタ。
【請求項１３】
温度測定と湿度測定の結果に基づく前記印字手段の印字条件の補正は、予め定めた基準温度と基準湿度における印字エネルギー・画像濃度の変換値を補正することにより行うことを特徴とする請求項９から１２のいずれか１項に記載の熱転写プリンタ。
【請求項１４】
温度測定と湿度測定の結果に基づく前記印字手段の印字条件の補正は、測定温度と測定湿度に基づき予め定めた温度湿度分割領域から該当する領域を抽出し、抽出した領域における予め定めた基準温度湿度における印字エネルギー・画像濃度の変換値を補正係数テーブルにより補正することを特徴とする請求項９から１３のいずれか１項に記載の熱転写プリンタ。
【請求項１５】
被撮影者の少なくとも顔画像を撮影して画像データを取得し、取得した画像データに基づき、請求項１から１４のいずれか１項に記載の熱転写プリンタを用いて画像を印字することを特徴とする証明用写真撮影装置。
【請求項１６】
所定時間経過以降の画像の印字は、最近の熱転写プリンタの使用終了時点から少なくとも２分以上経過した新たな熱転写プリンタの印字であることを特徴とする請求項１５に記載の証明用写真撮影装置。
【発明の詳細な説明】
【技術分野】
【０００１】
本発明は、熱転写プリンタおよび該熱転写プリンタを適用した証明用写真撮影装置に関する。
【背景技術】
【０００２】
従来より、熱転写プリンタとして、感熱式プリンタ、昇華熱転写型プリンタが知られている。この熱転写プリンタは、インクを塗布したインクリボンに印字ヘッドで熱を加え色素を、受像シートに転写させて印字するプリンタである。この熱転写プリンタは、加える熱を制御することで印字濃度を細かく変化させることができ、例えばインクジェットプリンタや電子写真方式では不可能な銀塩写真のような連続階調の表現が可能で高画質が得られるという特徴を有している。
【０００３】
熱転写方式のプリンタの一種である昇華熱転写型プリンタは、加える熱を制御することで印字濃度を細かく変化させるため、使用される印字ヘッドの熱履歴や、プリンタの使用環境温度に影響されやすい。そこで、使用される印字ヘッドの熱履歴の影響を取り除き、印字ヘッドの複数の発熱抵抗体を一律に通電制御することなく、個別の発熱抵抗体の熱履歴の制御をして高品質の熱印字処理をする技術が開示されている（特許文献１）。
【特許文献１】特開平５−２５４１７０号公報
【発明の開示】
【発明が解決しようとする課題】
【０００４】
しかしながら、従来の熱転写プリンタはその機構が複雑であり、特に、所定時間経過以降に使用する場合において、使用環境温度が大きく変動すると温度変動の影響を受けて、画像の濃度が変動し、画像の色バランスが変動しやすく、良好な画像が得られ難いという問題がある。また、使用環境温度湿度が大きく変動すると温度湿度変動の影響を受けて、画像の濃度が変動し、画像の色バランスが変動しやすく、良好な画像が得られ難いという問題がある。
【０００５】
本発明は上記の課題に鑑みなされたものである。本発明の目的は、同一使用温度での連続印画および変動使用温度での少数印画のどちらの場合においても濃度変動、色変動が少ない熱転写プリンタおよび前記熱転写プリンタを適用した証明用写真撮影装置を提供することにある。また、本発明の他の目的は、同一使用温度湿度での連続印画および変動使用温度湿度での少数印画のどちらの場合においても濃度変動、色変動が少ない熱転写プリンタおよび前記熱転写プリンタを適用し、特に湿度変動範囲が大きい場合に有効な証明用写真撮影装置を提供することにある。
【課題を解決するための手段】
【０００６】
上記の目的は下記の手段のいずれかにより達成できる。
【０００７】
（１）インクを塗布したインクリボンに印字ヘッドで熱を加え色素を受像シートに転写させて印字する熱転写プリンタにおいて、前記熱転写プリンタの外部近傍または内部の少なくとも１箇所の温度を測定する温度測定手段と、取得した画像データに基づき前記受像シートに画像を印字する印字手段と、前記温度測定手段による測定結果に基づき前記印字手段の印字条件を補正して印字するように制御する制御手段と、を備えたことを特徴とする熱転写プリンタ。
【０００８】
（２）インクを塗布したインクリボンに印字ヘッドで熱を加え色素を受像シートに転写させて印字する熱転写プリンタにおいて、前記印字ヘッド、前記インクリボンおよび前記受像シートを熱的にシールドする熱シールド手段と、熱シールドされた内部の少なくとも１箇所の温度を測定する温度測定手段と、取得した画像データに基づき前記受像シートに画像を印字する印字手段と、前記温度測定手段による温度測定結果に基づき前記印字手段の印字条件を補正して印字するよう制御する制御手段と、を備えたことを特徴とする熱転写プリンタ。
【０００９】
（３）インクを塗布したインクリボンに印字ヘッドで熱を加え色素を受像シートに転写させて印字する熱転写プリンタにおいて、前記熱転写プリンタの外部近傍または内部の少なくとも１箇所の温度を測定する温度測定手段と、前記熱転写プリンタの外部近傍または内部の少なくとも１箇所の湿度を測定する湿度測定手段と、取得した画像データに基づき前記受像シートに画像を印字する印字手段と、前記温度測定手段と前記温度測定手段による測定結果に基づき前記印字手段の印字条件を補正して印字するように制御する制御手段と、を備えたことを特徴とする熱転写プリンタ。
【００１０】
（４）インクを塗布したインクリボンに印字ヘッドで熱を加え色素を受像シートに転写させて印字する熱転写プリンタにおいて、前記印字ヘッド、前記インクリボンおよび前記受像シートを熱的にシールドする熱シールド手段と、前記熱シールドされた内部の少なくとも１箇所の温度を測定する温度測定手段と、前記熱シールドされた内部の少なくとも１箇所の湿度を測定する湿度測定手段と、取得した画像データに基づき前記受像シートに画像を印字する印字手段と、前記温度測定手段と前記湿度測定手段による測定結果に基づき前記印字手段の印字条件を補正して印字するよう制御する制御手段と、を備えたことを特徴とする熱転写プリンタ。
【００１１】
（５）被撮影者の少なくとも顔画像を撮影して画像データを取得し、取得した画像データに基づき、（１）から（４）のいずれか１項に記載の熱転写プリンタを用いて画像を印字することを特徴とする証明用写真撮影装置。
【発明の効果】
【００１２】
以上のように構成したので、下記のような効果を奏する。
【００１３】
請求項１に記載の発明によれば、温度測定手段による測定結果に基づき印字手段の印字条件を補正して印字制御するので、同一使用温度での連続印画、変動使用温度での少数印画のどちらの場合においても、濃度変動、色変動が少ない画像が得られるようになった。
【００１４】
請求項２に記載の発明によれば、印字ヘッド、インクリボン、受像シートを熱的にシールドする熱シールド手段を設け、画像を印字する場合に、温度測定手段による測定結果に基づき印字手段の印字条件を補正して印字するので、請求項１に記載と同様の効果が得られるようになった。
【００１５】
請求項３に記載の熱転写プリンタによれば、温度の測定箇所は、少なくとも印字ヘッド、インクリボン、受像シートの１つに接触または近傍の位置であるので、温度測定が正確に行われるようになった。
【００１６】
請求項４に記載の熱転写プリンタによれば、少なく２箇所の測定温度を予め決められた比率で按分して温度を求めるので、温度の変化をより精度良く検知できるようになった。
【００１７】
請求項５に記載の熱転写プリンタによれば、熱転写プリンタ内の温度を測定して印字ヘッドの印字条件の補正係数を求めるので、簡単な方法により精度のよい印字ヘッドの印字条件が決められるようになった。
【００１８】
請求項６に記載の熱転写プリンタによれば、予め定めた基準温度における印字エネルギーと画像濃度との曲線特性値を補正するので、簡易な方法で精度よく補正ができるようになった。
【００１９】
請求項７に記載の発明によれば、測定温度に基づき予め定めた温度分割領域から該当する領域を抽出し、抽出した領域における予め定めた基準温度における印字エネルギーと画像濃度との特性値を補正するので、温度の変化に対し精度良く補正できるようになった。
【００２０】
請求項８に記載の発明によれば、温度測定手段と湿度測定手段による測定結果に基づき印字ヘッドの印字条件を補正して印字するよう印字手段を制御する制御手段を設けたので、同一使用温度湿度での連続印画、変動使用温度での少数印画のどちらの場合でも濃度変動、色変動が少ない画像が得られるようになった。特に湿度変動範囲が大きい場合に有効である。
【００２１】
請求項９に記載の発明によれば、印字ヘッド、インクリボン、受像シートを熱的にシールドする熱シールド手段を設け、画像を印字する場合に、温度測定手段と湿度測定手段による測定結果に基づき印字ヘッドの印字条件を補正して印字するよう印字手段を制御するので、請求項８に記載と同様の効果が得られるようになった。特に湿度変動範囲が大きい場合に有効である。
【００２２】
請求項１０に記載の熱転写プリンタによれば、温度の測定箇所は、少なくとも印字ヘッド、インクリボン、受像シートの１つに接触または近傍の位置、湿度の測定箇所は、少なくとも印字ヘッド、インクリボン、受像シートの１つに接触または近傍の位置であるので、温度、湿度測定が正確に行われるようになった。
【００２３】
請求項１１に記載の熱転写プリンタによれば、少なくとも２箇所の測定温度、測定湿度を予め決められた比率で按分して温度、湿度を求めるので、温度変化、湿度変化をより精度良く検知できるようになった。
【００２４】
請求項１２に記載の熱転写プリンタによれば、熱転写プリンタ内の温度、湿度を測定して印字ヘッドの印字条件の補正係数を求めるので、簡単な方法により精度のよい印字ヘッドの印字条件が決められるようになった。
【００２５】
請求項１３に記載の熱転写プリンタによれば、予め定めた基準温度、基準湿度における印字エネルギーと画像濃度との曲線特性値を補正するので、簡易な方法で精度よく補正ができるようになった。
【００２６】
請求項１４に記載の発明によれば、測定温度、測定湿度に基づき予め定めた温度湿度分割領域から該当する領域を抽出し、抽出した領域における予め定めた基準温度、基準湿度における印字エネルギーと画像濃度との特性値を補正するので、温度湿度の変化に対し精度良く補正できるようになった。
【００２７】
請求項１５に記載の証明用写真撮影装置によれば、被撮影者の顔画像を撮影して画像データを取得し、画像データに基づき、請求項１から１４のいずれか１項に記載の熱転写プリンタを用いて少なくとも被撮影者の顔画像を印字するので、使用温度が大きく変動しても、画像の濃度変動、色変動の少ない画像が得られるようになった。
【００２８】
請求項１６に記載の証明用写真撮影装置によれば、間欠印画は、最近の熱転写プリンタの使用終了時点から少なくとも２分以上経過した新たな熱転写プリンタの印字であるので、最初の印字による熱履歴の影響を受け難く新たな画像の印字を行っても画像の濃度変動、色変動の少ない画像が得られるようになった。
【発明を実施するための最良の形態】
【００２９】
以下、本発明の実施の形態に係わる熱転写プリンタおよび本発明の熱転写プリンタを適用した証明用写真撮影装置について図面を参照して説明する。
【００３０】
最初に、実施の形態の熱転写プリンタで使用する昇華型熱転写方式のインクリボンと受像シートについて説明する。図１は各実施の形態の熱転写プリンタで使用するインクリボンの斜視図と断面図および受像シートの断面図である。さらに詳しくは、図１（ａ）はインクリボンの斜視図、図１（ｂ）はインクリボンの断面図、図１（ｃ）は受像シートの断面図である。図１に示すように、インクリボンＲはリボン状になっており、識別マークＲＳ、イエロインクＲＹ、マゼンタインクＲＭ、シアンインクＲＣ、透明保護部材ＲＰ等で構成され、各インクは耐熱層ａ、ペット基材層ｂ、インク層ｃの層構成である。また、受像シートＳは、受像層ｄ、基材ｅおよび筆記層ｆの層構成となっている。
【００３１】
（実施の形態１）
実施の形態１に係わる熱転写プリンタについて図面を参照して説明する。図２は、実施の形態１の熱転写プリンタの構成を示す断面図、図３は熱転写プリンタに使用する印字ヘッドの構成を示す断面図である。
【００３２】
図２および図３に示すように、熱転写プリンタ４０１Ａは、印字手段の印字ヘッド４１、温度測定手段８０１Ａ、受像シートＳおよびインクリボンＲの搬送機構、制御手段６０１Ａ等で構成されている。
【００３３】
温度測定手段８０１Ａは、熱転写プリンタ４０１Ａ内部の印字ヘッド４１の温度、受像シートＳの近傍の温度、及びインクリボンＲの近傍の温度を測定する。詳しくは、温度センサＴＳ１により印字ヘッド４１の放熱板中に埋め込まれた印字ヘッド４１の温度を測定し、温度センサＴＳ２により受像シートＳの近傍の温度を測定し、さらに温度センサＴＳ３によりインクリボンＲの近傍の温度を測定する。
【００３４】
制御手段６０１Ａでは、温度測定結果に基づき印字ヘッド４１の印字条件を補正して印字するよう制御する。この印字条件の補正は、予め定めた基準温度における印字エネルギー・画像濃度の変換値をもとに補正する。
【００３５】
ここで、熱転写プリンタにおける取得した画像データの画像処理について説明する。図４は実施の形態１の取得画像データの画像処理の流れを示す図である。図４に示すように、最初に、ブロックＢ０１ではデジタルカメラでＲ（赤）、Ｇ（緑）およびＢ（青）毎に画像データを取得し、次にブロックＢＯ２では画像処理を行う。ブロックＢＯ３ではモニター用に画像データ変換（モニターはｓＲＢＧ対応になっているものとする）。ブロックＢＯ４ではプリンタの出力がモニターの画像を再現するように画像変換する。ブロックＢ０５では、プリントＢ、Ｇ、ＲからＹ、Ｍ、Ｃへの変換を行う。ブロックＢ０６では印字ヘッド温度、受像シート近傍温度、インクリボンの近傍温度等を測定し、ブロックＢ０７ではこの測定結果により補正係数を求める。最後に、ブロックＢ０８では、補正を加え、Ｙ、Ｍ、Ｃ各階調テーブルにより出力画像データから印加エネルギーへ変換する。
【００３６】
ここで、基準温度に対する印字エネルギー・画像濃度変換テーブルについて説明する。図５はＹ、Ｍ、Ｃの基準温度湿度における印字エネルギー・画像濃度変換テーブル図である。図５（ａ）はＹ色の基準温度に対する印加エネルギー・画像濃度補正テーブル９２１Ｙ、同様に、図５（ｂ）はＭ色の基準温度に対する印加エネルギー・画像濃度補正テーブル９２１Ｍ、さらに、図５（ｃ）はＣ色の基準温度に対する印加エネルギー・画像濃度補正テーブル９２１Ｃをそれぞれ示している。
【００３７】
次に、補正係数について説明する。図６は温度変化に対する印字条件の補正係数を求める補正係数テーブルを示す図、図７はテスト用チャートを示す図である。なお、補正係数テーブルは通常はＹ、Ｍ、Ｃは共通ではなく、個別の補正係数を実験的に決めているが、この実施の形態では説明をわかりやすくするため共通としてある。
【００３８】
図６、図７に示すように、補正係数テーブル６１１の作成は、温度変化させてカラーチャートを撮影し画像処理して、テスト用チャート７３のフォーマットで印字を行い、画像濃度レベル、色バランス等を調べ、最良になるように補正係数を求めて作成する。
【００３９】
補正係数テーブル６１１により、例えば、動作環境範囲の−１５℃から４５℃までの求めた温度に基づき、基準温度２３℃を補正係数１．０として、補正係数を求める。
【００４０】
ここで、熱転写プリンタの主な動作を図２を参照して説明する。先ず、インクリボンＲがインクリボンロール４４ａから繰り出され、インクリボン巻取部４４ｂで駆動され印字ヘッド４１とプラテンローラ４６の間を搬送される。印字ヘッド４１で印字後は、インクリボンＲはインクリボン巻取部４４ｂに巻き取られる。また、受像シートＳの方は、受像シートロール４２から繰り出され、搬送ローラ４３及びグリップローラ４５ａとピンチローラ４５ｂで把持搬送され、印字ヘッド４１とプラテンローラ４６の間を通り、搬送ローラ４７で把持搬送される。インクリボンＲと受像シートＳを印字ヘッドの所定位置に搬送される。
【００４１】
外部より送信されたＲ、Ｇ、Ｂの画像データを一旦記憶し、図４で説明した画像処理を行い、Ｙ、Ｍ、Ｃ毎に印字ヘッドにより印字する。印字された受像シートＳは搬送ローラ４７で搬送され、受像シートをカッタ７０で断裁し、カットされたシートＦはトレイ７２に排出するようになっている。
【００４２】
以上のように、この熱転写プリンタによれば、同一使用温度での連続印画、また変動使用温度での少数印画（間欠印画）でも画像の濃度変動、色変動が少ない画質が得られるようになる。
【００４３】
（実施の形態２）
この実施の形態２は、実施の形態１において温度の他に湿度による影響も補正した例で、実施の形態１と機構的に同じ部分は同一符号を付け、異なる部分を中心に説明する。図８は、実施の形態２の熱転写プリンタの構成を示す断面図である。
【００４４】
図８（図３も参照）に示すように、熱転写プリンタ４０２Ａは、印字手段の印字ヘッド４１、温度測定手段８０１Ａ、湿度測定手段８０２Ａ、受像シートＳおよびインクリボンＲの搬送機構、制御手段６０２Ａ等で構成されている。
【００４５】
温度測定手段８０１Ａは、実施の形態１と同じである。湿度測定手段８０２Ａは、湿度センサＴＱ１により印字ヘッド４１の湿度を測定し、湿度センサＴＱ２により受像シートＳの近傍の湿度を測定し、さらに湿度センサＴＱ３によりインクリボンＲの近傍の湿度を測定する。
【００４６】
制御手段６０２Ａでは、温度湿度の測定結果に基づき印字ヘッド４１の印字条件を補正して印字するよう制御する。この印字条件の補正は、予め定めた基準温度湿度における印字エネルギー・画像濃度の変換値をもとに補正する。
【００４７】
ここで、熱転写プリンタにおける取得した画像データの画像処理は、実施の形態１で説明した図４において、湿度測定を追加したものである。基準温度湿度に対する印字エネルギー・画像濃度変換テーブルは図５と同じである。
【００４８】
次に、温度湿度変動に対する補正係数テーブルにつて説明する。図９は温度湿度変化に対する印字条件の補正係数を求める補正係数テーブルを示す図である。なお、補正係数テーブルは通常はＹ、Ｍ、Ｃは共通ではなく、個別の補正係数を実験的に決めているが、この実施の形態では説明をわかりやすくするため共通としてある。補正係数テーブル６１２の作成は、温度湿度を変化させてカラーチャートを撮影し、画像処理して、テスト用チャート７３（図７参照）のフォーマットで印字を行い、画像濃度レベル、色バランス等を調べ最良になるように補正係数を求めて作成する。
【００４９】
補正係数テーブル６１２は、例えば、使用温度範囲は−１５℃から４５℃、さらに環境湿度範囲は２０％から８０％を低湿度範囲、基準湿度を含む中間湿度範囲、高湿度範囲に３区分してそれぞれの代表値をｅ１、ｅ２、ｅ３としている。ここで、基準温度２３℃で基準湿度を含む代表値ｅ２での補正係数を１．０として、それぞれの補正係数を求めようになっている。なお、湿度の湿度範囲を前述の３区分に限定されるものではなく３以上にすることもできる。
【００５０】
次に、熱転写プリンタの主な動作を図８、９を参照して説明する。インクリボンＲ、シートＳの搬送は、実施の形態１と機構的に同じである。外部より送信されたＲ、Ｇ、Ｂの画像データを一旦記憶し、前述した図４に示した画像処理を行い、Ｙ、Ｍ、Ｃ毎に印字する。印字された受像シートＳは搬送ローラ４７で搬送され、受像シートをカッタ７０で断裁し、カットされたシートＦはトレイ７２に排出する。
【００５１】
以上のように、この熱転写プリンタによれば、同一使用温度湿度での連続印画、また変動使用温度湿度での少数印画（間欠印画）でも画像の濃度変動、色変動が少ない画質が得られるようになる。特に湿度変動範囲が大きい場合に有効である。
【００５２】
（実施の形態３）
この熱転写プリンタは、実施の形態１の変形例であり、画像データの画像処理の仕方が異なる以外は、実施の形態１と機構的に同じであるので異なる部分を中心に説明する。
【００５３】
温度測定は、実施の形態１と同様に温度センサＴＳ１により印字ヘッド４１の温度、温度センサＴＳ２により受像シートＳの温度、温度センサＴＳ３によりインクリボンＲの温度がそれぞれ測定される。次に、実施の形態１と同様に予め決められた比で按分されて温度が求められる。
【００５４】
ここで、求めた温度により印字条件を補正する方法につき説明する。図１０は実施の形態３の温度変化に対する印字条件の補正係数を求める補正係数テーブルと各印字エネルギー・画像濃度変換テーブルを示す図である。詳しくは図１０（ａ）は補正係数テーブル９１１、図１０（ｂ）から（ｄ）はＹ、Ｍ、Ｃの各印字エネルギー・画像濃度変換テーブル９２２を示す図である。
【００５５】
補正係数テーブル９１１は、温度により３つの領域に分割されている。一例として低温領域の場合について説明すると、基準温度Ｔ１を補正係数１として、補正係数を求める。なお、この補正係数テーブル９１１の作成は、前述の図５で説明したと同様に、温度を変化させ、カラーチャートを撮影し、画像処理して、図７に示すテスト用チャート７３のフォーマットで印字を行い、画像濃度レベル、色バランス等を調べ、最良になるように補正係数を作成する。
【００５６】
基準温度に対する印字エネルギー・画像濃度変換テーブル９２２（９２２Ｙ、９２２Ｍ、９２２Ｃ）は、前述の図５で説明したと同様にして作成する。図１０（ｂ）はＹ色の印加エネルギーと画像濃度の関係、図１０（ｃ）はＭ色、さらに図１０（ｄ）はＣ色の関係を示す。
【００５７】
ここで、実施の形態３の熱転写プリンタの動作について説明する。最初に、温度センサＴＳ１、ＴＳ２、ＴＳ３で温度を測定する。各々の温度に対する温度センサＴＳ１、ＴＳ２、ＴＳ３の重み付けから温度を求め、基準温度における印字エネルギー・画像濃度変換テーブル９２２を基に補正する。ここで、インクリボンＲ、受像シートＳを搬送し、Ｙ、Ｍ、Ｃ毎に印字し、さらに保護層を付け、カットしたシートＦを搬送してトレイ７２に排出するようになっている。
【００５８】
以上のように、この熱転写プリンタによれば、同一使用温度での連続印画、また変動使用温度での少数印画（間欠印画）でも画像の濃度変動、色変動が少ない画質が得られるようになる。
【００５９】
（実施の形態４）
この実施の形態４は、実施の形態３における温度の影響の補正の他に湿度による影響も補正したもので、機構的に同じ部分は同一符号を付け、異なる部分を中心に説明する。
【００６０】
温度測定は、実施の形態２と同時である。湿度測定は、実施の形態２と同様に、湿度センサＴＱ１により印字ヘッド４１の湿度、湿度センサＴＱ２により受像シートＳの湿度、湿度センサＴＱ３によりインクリボンＲの湿度がそれぞれ測定される。次に、実施の形態２と同様に予め決められた比で按分されて湿度が求まる。
【００６１】
ここで、求めた温度湿度により印字条件を補正する方法につき説明する。図１１は実施の形態４の温度湿度変化に対する印字条件の補正係数を求める補正係数テーブルと各印字エネルギー・画像濃度変換テーブルを示す図で、詳しくは図１１（ａ）は補正係数テーブル９１２、図１１（ｂ）から（ｄ）はＹ、Ｍ、Ｃの各印字エネルギー・画像濃度変換テーブル９２３を示す図である。なお、補正係数テーブル９１２は通常はＹ、Ｍ、Ｃは共通ではなく、個別の補正係数を実験的に決めているが、この実施の形態では説明をわかりやすくするため共通としてある。
【００６２】
補正係数テーブル９１２は、例えば、使用温度範囲は−１５℃から４５℃を３つの領域に分割し、さらに環境湿度範囲は２０％から８０％を低湿度範囲、基準湿度を含む中間湿度範囲、高湿度範囲に３分割して、それぞれの代表値をｅ１、ｅ２、ｅ３としている。
一例ついて説明すると、図１１において、基準温度Ｔ１で基準湿度を含む代表値ｅ２での補正係数を１．０として、それぞれの補正係数を求める。なお、湿度の湿度範囲を前述の３区分に限定されるものではなく３以上にすることもできる。この補正係数テーブル９２３の作成は、前述の図５で説明したと同様に、温度湿度を変化させてカラーチャートを撮影し、画像処理して、図７に示すテスト用チャート７３のフォーマットで印字を行い、画像濃度レベル、色バランス等を調べ、最良になるように補正係数を作成している。
【００６３】
基準温度湿度に対する印字エネルギー・画像濃度変換テーブル９２３（９２３Ｙ、９２３Ｍ、９２３Ｃ）は、前述の図５で説明したと同様にして作成する。図１１（ｂ）はＹ色の印加エネルギーと画像濃度の関係、図１１（ｃ）はＭ色、さらに図１１（ｄ）はＣ色の関係をそれぞれ示す。
【００６４】
ここで、実施の形態４の熱転写プリンタの動作については説明する。先ず、温度センサＴＳ１、ＴＳ２、ＴＳ３の重み付けから温度を求め、さらに湿度センサＴＱ１、ＴＱ２、ＴＱ３の重み付けから湿度を求め、基準温度湿度における印字エネルギー・画像濃度変換テーブル９２３を基に補正する。ここで、インクリボンＲ、受像シートＳを搬送し、Ｙ、Ｍ、Ｃ毎に印字さらに保護層を付け、カットしたシートＦを搬送してトレイ７２に排出する。
【００６５】
以上のように、この熱転写プリンタによれば、同一使用温度湿度での連続印画、また変動使用温度湿度での少数印画（間欠印画）でも画像の濃度変動、色変動が少ない画質が得られるようになる。特に湿度変動範囲が大きい場合に有効である。
【００６６】
（実施の形態５）
この熱転写プリンタは、印字ヘッド、インクリボン、受像シートの温度差を少なくして品質の向上をはかったものである。実施の形態１と機構的に同じ部分は同一符号を付け、異なる部分を中心に説明する。
【００６７】
図１２は実施の形態５の熱転写プリンタ４０１Ｂの構成を示す断面図である。熱シールド手段は、シールド部材４９で熱的にシールドされ密閉構造となっている。内部には印字ヘッド４１、インクリボンＲ、受像シートＳが包含されている。熱シールド部材４９内の温度は比較的均一となり、印字ヘッド４１、インクリボンＲ、受像シートＳの温度差が減少し、外気の温度の変化に対する補正精度が向上するようにしている。
【００６８】
温度測定手段８０１Ｂは、温度センサＴＳ１で印字ヘッド４１を測定し、温度センサＴＳ２でインクリボンＲと受像シートＳの近傍温度を測定し、予め定めた比で按分して重み付けして温度を求めている。
【００６９】
制御手段６０１Ｂは、温度測定手段８０１Ｂによる温度測定の結果に基づき、求めた温度で補正係数を求め、補正係数で、基準に対する印字エネルギー・画像濃度変換テーブルを補正する。
【００７０】
ここで、実施の形態の熱転写プリンタの熱転写プリント方法について説明する。温度センサＴＳ１、ＴＳ２で温度を測定し、さらに実施の形態１と同様に温度を求める。Ｒ、Ｇ、Ｂの画像データを一時記憶し、以降、前述した図４に示した画像処理を行い、補正係数で基準に対する印字エネルギー・画像濃度変換テーブルを補正する。ここで、インクリボンＲ、受像シートＳを搬送し、Ｙ、Ｍ、Ｃ毎に印字ヘッドにより印字し、カットしたシートＦを搬送してトレイ７２に排出する。
【００７１】
以上のように、この熱転写プリンタによれば、同一使用温度での連続印画、また変動使用温度での少数印画（間欠印画）でも画像の濃度変動、色変動が少ない画質が得られるようになる。
【００７２】
（実施の形態６）
この実施の形態６は、実施の形態５において、温度の他に湿度による影響も補正したもので機構的に同じ部分は同一符号を付け、異なる部分を中心に説明する。
【００７３】
この熱転写プリンタは、印字ヘッド、インクリボン、受像シートの温度差、湿度差を少なくして品質の向上をはかったものである。
【００７４】
図１３は実施の形態６の熱転写プリンタ４０２Ｂの構成を示す断面図である。熱シールド手段は、シールド部材４９で熱的にシールドされ密閉構造となっている。内部には印字ヘッド４１、インクリボンＲ、受像シートＳが包含されている。熱シールド部材４９内の温度、湿度は比較的均一となり、印字ヘッド４１、インクリボンＲ、受像シートＳの温度差、湿度差が減少し、外気の温度、湿度の変化に対する補正精度が向上するようにしている。
【００７５】
温度測定手段８０１Ｂは、実施の形態５と同じである。湿度測定手段８０２Ｂは、湿度センサＴＱ１で印字ヘッド４１を測定し、湿度センサＴＱ２でインクリボンＲと受像シートＳの近傍湿度を測定し、予め定めた比で按分して重み付けして湿度を求めている。
【００７６】
制御手段６０２Ｂは、温度測定手段８０１Ｂ、湿度測定手段８０２Ｂによる温度湿度結果に基づき、求めた温度湿度で補正係数を求め、補正係数で、基準に対する印字エネルギー・画像濃度変換テーブルをもとに補正する。
【００７７】
ここで、実施の形態の熱転写プリンタの熱転写プリント方法について説明する。温度センサＴＳ１、ＴＳ２で温度を測定し、さらに湿度センサＴＱＳ１、ＴＱ２で湿度を測定しさらに実施の形態５と同様にして温度、湿度を求める。Ｒ、Ｇ、Ｂの画像データを一時記憶し、以降、前述した図４に示した画像処理を行い、補正係数で基準に対する印字エネルギー・画像濃度変換テーブルを補正する。ここで、インクリボンＲ、受像シートＳを搬送し、Ｙ、Ｍ、Ｃ毎に印字ヘッドにより印字し、カットしたシートＦを搬送してトレイ７２に排出する。
【００７８】
以上のように、この熱転写プリンタによれば、同一使用温度湿度での連続印画、また変動使用温度湿度での少数印画（間欠印画）でも画像の濃度変動、色変動が少ない画質が得られるようになる。
【００７９】
（実施の形態７）
本発明の証明用写真撮影装置について説明する。図１４は実施の形態７の熱転写プリンタを適用した証明用写真撮影装置の構成を示す断面図である。
【００８０】
図１４に示すように、この証明用写真撮影装置１００は、被撮影者の顔画像を撮影して画像データを取得し、画像データに基づき、実施の形態１、３、５に記載の熱転写プリンタを用いて被撮影者の顔画像を印字する装置である。
【００８１】
被撮影者Ｐが不定期に使用し、被撮影者がボックス入口１２から入り、椅子１３に座り、照明部１４で被撮影者Ｐを照明し、撮影カメラ１１により撮影表示窓１５を通して被撮影者の顔を撮影する。画像データに基づき熱を加えることによりインクリボンＲの色素を受像シートＳに転写させてプリントし、図示しないトレイより取り出せるようになっている。
【００８２】
証明用写真撮影装置１００は、屋外におかれて使用されることが多いので使用される外気の温度が例えば−１５℃から４５℃の範囲であることが要求される。証明用写真撮影装置１００は、連続して被撮影者が使用することがほとんどなく、最初の印字終了から少なくとも２分以上経過した以降に新たな画像の印字がされ過酷な使用温度下で使用されるが、広範囲の使用温度に適応し、また所定時間経過以降の使用でも、特に証明用写真にふさわしい濃度レベル、色バランスの良好な顔画像が得られる。
【００８３】
（実施の形態８）
本発明の他の証明用写真撮影装置について説明する。この実施の形態８は、実施の形態７において、温度の他に湿度による影響も補正したもので、異なる部分を中心に説明する。図１４を参照して説明する。
【００８４】
この証明用写真撮影装置は、被撮影者の顔画像を撮影して画像データを取得し、画像データに基づき、実施の形態２、４、６に記載の熱転写プリンタを用いて被撮影者の顔画像を印字する装置である。
【００８５】
証明用写真撮影装置は、屋外におかれて使用されることが多いので使用される外気の温度が例えば−１５℃から４５℃の範囲、湿度は例えば３０％から７０％の範囲であることが要求される。証明用写真撮影装置は、連続して被撮影者が使用することがほとんどなく、最初の印字終了から少なくとも２分以上経過した以降に新たな画像の印字がされ過酷な使用温度湿度下で使用されるが、広範囲の使用温度、使用湿度に適応し、また所定時間経過以降の使用でも、特に証明用写真にふさわしい濃度レベル、色バランスの良好な顔画像が得られる。特に湿度変動範囲が大きい場合に有効である。なお、所定時間経過以降とは、所定時間を経過した以降の任意の時間に画像を印字する場合を意味し、例えば、過去に画像を印字して印字による印字ヘッド等の熱履歴の影響が無視できる状態となった以降を意味する。
【００８６】
なお、実施の形態では熱転写方式として昇華熱転写型について説明したがこれに限定されるものではなく、例えば熱溶融転写型でも可能である。また、熱転写プリンタの使用温度の変動による印字の補正は、印字エネルギーと画像濃度の特性曲線を温度変動に対応して曲線を任意に補正するようにしてもよい。
【図面の簡単な説明】
【００８７】
【図１】各実施の形態の熱転写プリンタで使用するインクリボンの斜視図と断面図および受像シートの断面図である。
【図２】実施の形態１の熱転写プリンタの構成を示す断面図である。
【図３】熱転写プリンタに使用する印字ヘッドの構成を示す断面図である。
【図４】実施の形態１の取得画像データの画像処理の流れを示す図である。
【図５】Ｙ、Ｍ、Ｃの基準温度湿度における印字エネルギー・画像濃度変換テーブル図である。
【図６】温度変化に対する印字条件の補正係数を求める補正係数テーブルを示す図である。
【図７】テスト用チャートを示す図である。
【図８】実施の形態２の熱転写プリンタの構成を示す断面図である。
【図９】温度湿度変化に対する印字条件の補正係数を求める補正係数テーブルを示す図である。
【図１０】実施の形態３の温度変化に対する印字条件の補正係数を求める補正係数テーブルと各印字エネルギー・画像濃度変換テーブルを示す図である。
【図１１】実施の形態４の温度湿度変化に対する印字条件の補正係数を求める補正係数テーブルと各印字エネルギー・画像濃度変換テーブルを示す図である。
【図１２】実施の形態５の熱転写プリンタの構成を示す断面図である。
【図１３】実施の形態６の熱転写プリンタの構成を示す断面図である。
【図１４】実施の形態７の証明用写真撮影装置の構成を示す断面図である。
【符号の説明】
【００８８】
１００  証明用写真撮影装置
４０１Ａ、４０２Ａ、４０１Ｂ、４０２Ｂ、４０１Ｃ  熱転写プリンタ
４１  印字ヘッド（印字手段）
４９  熱シールド部
６１１、６１２  補正係数テーブル
８０１Ａ、８０１Ｂ  温度測定手段
８０２Ａ、８０２Ｂ  湿度測定手段
ＴＳ１、ＴＳ２、ＴＳ３  温度センサ
ＴＱ１、ＴＱ２、ＴＱ３  湿度センサ
Ｓ  受像シート
Ｒ  インクリボン
Ｐ  被撮影者
【図１】
2005119065.tif 000003
【図２】
2005119065.tif 000004
【図３】
2005119065.tif 000005
【図４】
2005119065.tif 000006
【図５】
2005119065.tif 000007
【図６】
2005119065.tif 000008
【図７】
2005119065.tif 000009
【図８】
2005119065.tif 000010
【図９】
2005119065.tif 000011
【図１０】
2005119065.tif 000012
【図１１】
2005119065.tif 000013
【図１２】
2005119065.tif 000014
【図１３】
2005119065.tif 000015
【図１４】
2005119065.tif 000016